(57)【要約】【課題】被包管に防食スリーブを巻き付ける作業（新設の鋳鉄管（被包管）に防食スリーブを巻き付ける場合や、既設の鋳鉄管（被包管）を除去し新設の鋳鉄管（被包管）に防食スリーブを巻き付ける場合等）の作業性の向上を可能とする防食スリーブを提供する。【解決手段】内部を流体が通過可能な被包管５の外側表面を包む防食スリーブ１であって、防食スリーブ１は水分を透過しない材料で形成され、防食スリーブ１には報知表示２が形成され、報知表示２は、被包管５の所定の位置に報知表示２を合わせる位置を、防食スリーブ１を被包管に包み込む作業を行うユーザに報知するための表示である。【選択図】図２
2015087011.tif 000002
【特許請求の範囲】
【請求項１】
内部を流体が通過可能な被包管の外側表面を包む防食スリーブであって、
前記防食スリーブは、水分を透過しない材料で形成され、
前記防食スリーブには、報知表示が形成され、
前記報知表示は、前記被包管の所定位置に前記報知表示を合わせる位置を、前記防食スリーブを前記被包管に包み込む作業を行うユーザに報知するための表示である
防食スリーブ。
【請求項２】
把持部表示が形成され、
前記把持部表示は、前記防食スリーブを前記被包管に包み込む作業を行うユーザが前記防食スリーブを前記被包管に対して上方に持ち上げる際に、ユーザが把持する位置をユーザに報知するための表示である
請求項１に記載の防食スリーブ。
【請求項３】
底部表示が形成され、
前記底部表示は、前記防食スリーブを前記被包管に包み込む作業を行うユーザが前記防食スリーブを前記被包管に対して前記把持部表示を把持して上方に持ち上げた際に、前記被包管の下部に位置する位置に形成されている
請求項２に記載の防食スリーブ。
【請求項４】
前記防食スリーブは、前記被包管の管径を表示する管径表示が形成されている
請求項１〜３のいずれか１項に記載の防食スリーブ。
【請求項５】
前記防食スリーブにおいて前記管径表示は、前記報知表示から、前記被包管の外周の全周の長さとほぼ同じ距離分離れた位置に形成されている
請求項４に記載の防食スリーブ。
【請求項６】
前記防食スリーブにおいて前記管径表示は、前記報知表示から、前記被包管の外周の全周の長さとほぼ同じ距離分離れた位置の近傍に形成されている
請求項４に記載の防食スリーブ。
【請求項７】
前記防食スリーブにおいて前記管径表示は、前記報知表示の近傍の位置に形成されている
請求項４に記載の防食スリーブ。
【請求項８】
前記報知表示は、前記被包管に形成された被包管側表示に合わせる旨をユーザに報知する表示である
請求項１〜７のいずれか１項に記載の防食スリーブ。
【請求項９】
前記防食スリーブは、同一の形状を有する第１シートと第２シートを有し、
前記第１シートと前記第２シートは、
前記第１シートの一端側と前記第２シートの一端側が接続され、
前記第１シートの他端側と前記第２シートの他端側が接続されて、
円筒形状を有し、
前記第１シートの一端側と前記第２シートの一端側が接続される第１接続部には折り目が形成されており、
前記第１シートの他端側と前記第２シートの他端側が接続される第２接続部には折り目が形成されている
請求項１〜８のいずれか１項に記載の防食スリーブ。
【請求項１０】
内部を流体が通過可能な被包管の外側表面を包む防食スリーブであって、
前記防食スリーブは、水分を透過しない材料で形成され、
前記防食スリーブには、前記被包管の管径を表示する管径表示が形成され、
前記防食スリーブには、報知表示が形成され、
前記報知表示は、前記被包管の所定位置に前記報知表示を合わせる位置を、前記防食スリーブを前記被包管に包み込む作業を行うユーザに報知するための表示であり、
前記防食スリーブにおいて前記管径表示は、前記報知表示から、前記被包管の外周の全周の長さと同じ距離分離れた位置の近傍に形成されている
防食スリーブ。
【請求項１１】
内部を流体が通過可能な被包管の外側表面を包む防食スリーブであって、
前記防食スリーブは、水分を透過しない材料で形成され、
前記防食スリーブには、前記被包管の管径を表示する管径表示が形成され、
前記防食スリーブには、報知表示が形成され、
前記報知表示は、前記被包管の所定位置に前記報知表示を合わせる位置を、前記防食スリーブを前記被包管に包み込む作業を行うユーザに報知するための表示であり、
前記防食スリーブにおいて前記管径表示は、前記報知表示の近傍の位置に形成されている
防食スリーブ。
【発明の詳細な説明】
【技術分野】
【０００１】
本発明は、地中に埋設される水道管等の浸食対策として、当該水道管等の外表面に巻き付けられる防食スリーブに関するものである。
【背景技術】
【０００２】
従来、地中に埋設される水道管やガス管（以下、「被包管」という。）が、地中に存在するバクテリアや水分等の影響により、被包管の外表面が浸食してしまうといった問題があった。このため、被包管を地中に埋設する前に、浸食を防止するスリーブ（以下、「防食スリーブ」という。）を被包管に巻き付けて施工する対策が施されている。
【０００３】
防食スリーブは、管径サイズの異なる様々な被包管に対応して、サイズの異なる多くの種類が既に用いられている。そのため、被包管に防食スリーブを巻き付けるユーザは、被覆される被包管のサイズを確認した上で、サイズの見合った防食スリーブを適宜選択し、巻き付け作業を行う。
【０００４】
そして、防食スリーブを被包管の表面にフィットさせるため、ユーザは、手作業で防食スリーブの弛みを抑えるように被包管の表面に巻き付ける。その後、ユーザは、別部材の固定バンド等を用いて、防食スリーブの位置を固定する。
【０００５】
防食スリーブの施工に関しては、規格や施工要領書で、埋め戻し時の土砂の衝撃による損傷を避けるため、管頂部に重ね部（三重部）が来るように注意を促している。
【発明の概要】
【発明が解決しようとする課題】
【０００６】
また、施工要領書では表示（管径表示）が管頂に来る様に注意を促しているが、従来の防食スリーブではこの規定や施工要領書の通りに施工するのに時間が掛かり、綺麗に管体（被包管）に密着させることが難しいなどの課題があった。
【０００７】
そこで、本発明は、上述した事情に鑑みてなされたものであり、被包管に防食スリーブを巻き付ける作業（新設の鋳鉄管（被包管）に防食スリーブを巻き付ける場合や、既設の鋳鉄管（被包管）を除去し新設の鋳鉄管（被包管）に防食スリーブを巻き付ける場合等）の作業性の向上を可能とする防食スリーブを提供することを目的とする。
【課題を解決するための手段】
【０００８】
上記課題を解決するために、本発明では、内部を流体が通過可能な被包管の外側表面を包む防食スリーブであって、前記防食スリーブは、水分を透過しない材料で形成され、前記防食スリーブには、報知表示が形成され、前記報知表示は、前記被包管の所定位置に前記報知表示を合わせる位置を、前記防食スリーブを前記被包管に包み込む作業を行うユーザに報知するための表示であることを特徴とする。
【０００９】
また、好適には、請求項１に記載の防食スリーブであって、把持部表示が形成され、前記把持部表示は、前記防食スリーブを前記被包管に包み込む作業を行うユーザが前記防食スリーブを前記被包管に対して上方に持ち上げる際に、ユーザが把持する位置をユーザに報知するための表示である。
【００１０】
また、好適には、請求項２に記載の防食スリーブであって、底部表示が形成され、前記底部表示は、前記防食スリーブを前記被包管に包み込む作業を行うユーザが前記防食スリーブを前記被包管に対して前記把持部表示を把持して上方に持ち上げた際に、前記被包管の下部に位置する位置に形成されている。
【００１１】
また、好適には、請求項１〜３のいずれか１項に記載の防食スリーブであって、前記防食スリーブは、前記被包管の管径を表示する管径表示が形成されている。
【００１２】
また、好適には、請求項４に記載の防食スリーブであって、前記防食スリーブにおいて前記管径表示は、前記報知表示から、前記被包管の外周の全周の長さとほぼ同じ距離分離れた位置に形成されている。
【００１３】
また、好適には、請求項４に記載の防食スリーブであって、前記防食スリーブにおいて前記管径表示は、前記報知表示から、前記被包管の外周の全周の長さとほぼ同じ距離分離れた位置の近傍に形成されている。
【００１４】
また、好適には、請求項４に記載の防食スリーブであって、前記防食スリーブにおいて前記管径表示は、前記報知表示の近傍の位置に形成されている。
【００１５】
また、好適には、請求項１〜７のいずれか１項に記載の防食スリーブであって、前記報知表示は、前記被包管に形成された被包管側表示に合わせる旨をユーザに報知する表示である。
【００１６】
また、好適には、請求項１〜８のいずれか１項に記載の防食スリーブであって、前記防食スリーブは、同一の形状を有する第１シートと第２シートを有し、前記第１シートと前記第２シートは、前記第１シートの一端側と前記第２シートの一端側が接続され、前記第１シートの他端側と前記第２シートの他端側が接続されて、円筒形状を有し、前記第１シートの一端側と前記第２シートの一端側が接続される第１接続部には折り目が形成されており、前記第１シートの他端側と前記第２シートの他端側が接続される第２接続部には折り目が形成されている。
【００１７】
また、本発明では、内部を流体が通過可能な被包管の外側表面を包む防食スリーブであって、前記スリーブは、水分を透過しない材料で形成され、前記防食スリーブには、前記被包管の管径を表示する管径表示が形成され、前記防食スリーブには、報知表示が形成され、前記報知表示は、前記被包管の所定位置に前記報知表示を合わせる位置を、前記防食スリーブを前記被包管に包み込む作業を行うユーザに報知するための表示であり、前記防食スリーブにおいて前記管径表示は、前記報知表示から、前記被包管の外周の全周の長さと同じ距離分離れた位置の近傍に形成されていることを特徴とする。
【００１８】
また、本発明では、内部を流体が通過可能な被包管の外側表面を包む防食スリーブであって、前記防食スリーブは、水分を透過しない材料で形成され、前記防食スリーブには、前記被包管の管径を表示する管径表示が形成され、前記防食スリーブには、報知表示が形成され、前記報知表示は、前記被包管の所定位置に前記報知表示を合わせる位置を、前記防食スリーブを前記被包管に包み込む作業を行うユーザに報知するための表示であり、前記防食スリーブにおいて前記管径表示は、前記報知表示の近傍の位置に形成されていることを特徴とする。
【発明の効果】
【００１９】
本発明によれば、被包管に防食スリーブを巻き付ける作業（新設の鋳鉄管（被包管）に防食スリーブを巻き付ける場合や、既設の鋳鉄管（被包管）を除去し新設の鋳鉄管（被包管）に防食スリーブを巻き付ける場合等）の作業性の向上を可能とする防食スリーブを提供する事が可能となる。
【図面の簡単な説明】
【００２０】
【図１】本発明の第１実施形態に係る防食スリーブ及び被包管の断面説明図である。
【図２】本発明の第１実施形態に係る防食スリーブ及び被包管の斜視説明図である。
【図３】（ａ）本発明の第１実施形態に係る防食スリーブを折り曲げた状態を示す断面説明図である。（ｂ）本発明の第１実施形態に係る防食スリーブの被覆作業を終えた状態を示す断面説明図である。
【図４】本発明の第２実施形態に係る防食スリーブ及び被包管の断面説明図である。
【図５】本発明の第２実施形態に係る防食スリーブを掴み上げた状態を示す断面説明図である。
【図６】（ａ）本発明の第２実施形態に係る防食スリーブを折り曲げた状態を示す断面説明図である。（ｂ）本発明の第２実施形態に係る防食スリーブの被覆作業を終えた状態を示す断面説明図である。
【図７】本発明の第３実施形態に係る防食スリーブの断面説明図である。
【図８】本発明の第３実施形態に係る防食スリーブ及び被包管の断面説明図である。
【図９】本発明の第３実施形態に係る防食スリーブを掴み上げた状態を示す断面説明図である。
【図１０】本発明の第４実施形態に係る防食スリーブ及び被包管の断面説明図である。
【図１１】（ａ）本発明の第４実施形態に係る防食スリーブを折り曲げた状態を示す断面説明図である。（ｂ）本発明の第４実施形態に係る防食スリーブの被覆作業を終えた状態を示す断面説明図である。
【図１２】本発明の第４実施形態に係る防食スリーブ及び被包管の変形例に係る断面説明図である。
【図１３】（ａ）本発明の第５実施形態に係る防食スリーブを折り曲げた状態を示す断面説明図である。（ｂ）本発明の第５実施形態に係る防食スリーブの被覆作業を終えた状態を示す断面説明図である。
【図１４】本発明の第５実施形態に係る防食スリーブ及び被包管の変形例に係る断面説明図である。
【図１５】本発明の第６実施形態に係る防食スリーブ及び被包管の断面説明図である。
【図１６】（ａ）本発明の第６実施形態に係る防食スリーブを折り曲げた状態を示す断面説明図である。（ｂ）本発明の第６実施形態に係る防食スリーブの被覆作業を終えた状態を示す断面説明図である。
【図１７】（ａ）本発明の第７実施形態に係る防食スリーブを折り曲げた状態を示す断面説明図である。（ｂ）本発明の第７実施形態に係る防食スリーブの被覆作業を終えた状態を示す断面説明図である。
【図１８】本発明の第７実施形態に係る防食スリーブ及び被包管の変形例に係る断面説明図である。
【発明を実施するための形態】
【００２１】
以下、本発明の実施形態について図面を参照しながら具体的に説明する。なお、同一又は同等の構成要素については同一の符号を付し、説明が重複する場合にはその説明を省略する。
【００２２】
＜第１実施形態＞
図１は、防食スリーブ１及び被包管５の断面説明図である。
図２は、防食スリーブ１及び被包管５の斜視説明図である。
【００２３】
第１実施形態に係る防食スリーブ１を図１及び図２に示す。両図は、円筒状の防食スリーブ１に被包管５が内包された状態を示す。
【００２４】
図１の様に、防食スリーブ１は、ポリエチレンなど水分を透過しない材料を素材とし、ほぼ透明な円筒状として形成されている。防食スリーブ１の表面には、報知表示２、及び、管径表示３が形成されている。
【００２５】
報知表示２は、被包管５の表面の所定位置に対する防食スリーブ１の位置合わせを目的として、防食スリーブ１に形成されたものである。報知表示２は、被包管５の所定位置に設けられた後述する明示テープ６（被包管側表示）との位置合わせを目的として、被包管５に防食スリーブ１を被覆するユーザが視認可能な構成であればよい。
ここで報知表示２は、例えば連続印刷された直線や破線、あるいはシールの貼り付け表示などであってもよく、その表示態様を一切限定するものではない。
【００２６】
管径表示３は、被覆される被包管５の管径（内径）に関する情報を表示するものである。管径表示３は、被包管５の情報として視認可能であればよい。例えば連続印刷された直線表示や破線表示を伴った形態や、被包管５の厚さ等、被包管５に関する情報を併記した形態であってもよく、その表示態様を一切限定するものではない。
なお、一般的には、管径表示３は、ＪＤＰＡ及びＪＷＷＡの各種規格があり、これに従って表示される。
【００２７】
ここで図１に示す防食スリーブ１の表面上において、防食スリーブ１の最下部の表面に沿った報知表示２と管径表示３との間の長さ（図中Ｌ）は、被包管５の外周の全周の長さ（図中Ｍ）とほぼ同じ長さになっている。より具体的には、報知表示２の中心位置と管径表示３の中心位置との間の長さＬが、被包管５の外周の長さＭとほぼ同じ長さになっている。
【００２８】
被包管５は、例えば水道管やガス管として、主に地中に埋設されて使用される鋳鉄管である。本実施形態において被包管５の外周面の所定位置、例えば最上部には、被包管側表示としての明示テープ６が貼り付けられている。
【００２９】
明示テープ６は、防食スリーブ１を被包管５に被覆するユーザが、被包管側表示として明示テープ６を目印として、防食スリーブ１に形成された報知表示２を当該明示テープ６に重ねて貼り付けるための目印となっている。
【００３０】
明示テープ６は、防食スリーブ１を被包管５に被覆する作業の直前に、ユーザが被包管５の外周面に貼り付ければよく、また、予め被包管５の外周面に貼り付けておいてもよい。
【００３１】
また、明示テープ６は、防食スリーブ１に形成された報知表示２との位置合わせを目印として、被包管５に防食スリーブ１を被覆するユーザが視認可能であればよい。例えば被包管５の外周面に直線状に貼り付けた状態や、被包管５の長手方向に間隔を開けて複数個所貼り付けてもよく、その表示態様及び貼り付け態様を一切限定するものではない。
【００３２】
ここで、防食スリーブ１を被包管５に被覆する場合に、ユーザは先ず、図２に示す通り、図中矢印Ａの方向に防食スリーブ１をずらしながら、防食スリーブ１に被包管５が内包された状態とする。
【００３３】
図３（ａ）は、防食スリーブ１を折り曲げた状態を示す断面説明図である。
図３（ｂ）は、防食スリーブ１の被覆作業を終えた状態を示す断面説明図である。
【００３４】
防食スリーブ１を被包管５に巻き付けて被覆する際に、ユーザは先ず、図３（ａ）に示す通り、被包管５の明示テープ６を目印として、防食スリーブ１に形成された報知表示２を当該明示テープ６に重ねて一致させる。
【００３５】
そして、図３（ｂ）に示す通り、防食スリーブ１を折り曲げつつ、被包管５に巻き付ける。具体的には、防食スリーブ１に形成された管径表示３を、被包管５に既に貼り付けられた報知表示２の上に、更に重ねて貼り付ける。そして、被包管５への防食スリーブ１の被覆作業を終える。
【００３６】
本実施形態によれば、先述した通り、防食スリーブ１の表面上において、報知表示２と管径表示３との間の長さが、被包管５の外周の長さとほぼ同じ長さになっているため、図３（ａ）及び（ｂ）の作業により、必ず報知表示２の上に管径表示３が重なることとなる。
【００３７】
つまり、図３（ａ）及び（ｂ）に示す通りに防食スリーブ１の折り曲げ作業を行うと、明示テープ６の上に報知表示２が重なる。その上、更に、報知表示２の上に管径表示３が重なるようになる。そして、作業を終えたときには、明示テープ６と、報知表示２と、管径表示３とが、被包管５の表面上の同じ位置に全て重なった状態となる。
【００３８】
このためユーザは、管径表示３を被包管５の表面上の所望の位置（所定位置）に貼り付けたい場合には、先ず、当該所望の位置（所定位置）に、明示テープ６を貼り付けておく。
そして、実際に被包管５に防食スリーブ１巻き付ける際に、初めに、その明示テープ６と報知表示２とを重ね合わせて一致させる。
【００３９】
なお、本実施形態によれば、被包管５の表面上の所定位置に明示テープ６を貼り付けなくても、被包管５の表面上の所定位置に報知表示２を位置合わせしておきさえすれば、報知表示２と管径表示３との間の長さが被包管５の外周の長さとほぼ同じ長さになっているため、煩雑な作業を行うこと無く、当該報知表示２が位置合わせされた所定位置に、管径表示３を重畳させることができる。その結果、被包管５の表面上の所望の位置である所定位置に、管径表示３を位置させることができる。
【００４０】
ここで、被包管５における所定位置について説明する。被包管５における所定位置は、管頂である最上部に限らず、被包管５の真横の位置、真下の位置、管頂から数センチずらした位置、管頂から下方のいずれの位置（例えば被包管５の直上から４５度下方へ傾いた位置や、被包管５の直上から７５度下方へ傾いた位置など）を所定位置として、ユーザが自由に認定できるものであり、被覆作業の度に認定してもよい。
【００４１】
また、被包管５における所定位置の認定について、被包管５に予め形成されているマーキングやユーザが視認可能な傷を所定位置として認定してもよいことはもちろん、被包管５にマーキングや目印となる傷等が一切無い場合であっても、ユーザが自らの感覚で、先述した被包管５の管頂の位置、真横の位置、真下の位置など、被包管５の表面上の所定位置として認定することも可能である。
【００４２】
以上のように、被包管５に防食スリーブ１を巻き付ける直前の位置合わせ作業を行うことで、防食スリーブ１の折り曲げ作業に伴った管径表示３の煩雑な貼り付け位置調整をする必要は無く、図３（ａ）及び（ｂ）に示す通りの簡単な折り曲げ作業で、管径表示３を所望の位置に確実かつ容易に位置合わせすることができる。
【００４３】
よって、ユーザの位置合わせ作業が簡易になるため、貼り付け位置がずれてしまうといった作業ミスの発生を回避できる。また、作業上発生する防食スリーブ１の弛みを抑えることができる。
【００４４】
そして、管径表示３について、被包管５の最上部の位置など、被包管５の外周面の所望の位置に明示テープ６を貼り付けておけば、確実かつ容易に管径表示３を所望の位置に位置合わせすることができる。
【００４５】
このため、例えば、明示テープ６を被包管５の側方に貼り付けておけば、結果的に管径表示３を被包管５の側方に貼り付けることができる。ユーザは、その都度、被包管５の表面上の所望の位置に明示テープ６を貼り付ければよい。
【００４６】
また、本実施形態においては、明示テープ６は被包管５の最上部に貼り付けられており、この結果、防食スリーブ１の被覆作業を終えた時には、管径表示３が最上部に位置するようになっている。
【００４７】
このため、防食スリーブ１が被覆された被包管５が地中等に埋設されている場合に、ユーザは、簡易的に被包管５の管径を把握することができる。
具体的には、被包管５の被包管に防食スリーブを巻き付ける作業（新設の鋳鉄管（被包管）に防食スリーブを巻き付ける場合や、既設の鋳鉄管（被包管）を除去し新設の鋳鉄管（被包管）に防食スリーブを巻き付ける場合等）時に、被包管５の上方の土砂のみを除去するだけで、容易に被包管５の上方から管径を視認することができる。
【００４８】
＜第２実施形態＞
図４は、防食スリーブ１及び被包管５の断面説明図である。
【００４９】
以後、第２実施形態に係る構成のうち、第１実施形態と同一又は同等の構成要素については同一の符号を付し、図面を用いた説明が重複する場合にはその図面及び説明を省略する。
【００５０】
図４は、円筒状の防食スリーブ１に被包管５が内包された状態を示す。
【００５１】
第２実施形態に係る防食スリーブ１の表面には、把持部表示４１、及び、底部表示４２が形成されている。
【００５２】
図５は、防食スリーブ１を掴み上げた状態を示す断面説明図である。
【００５３】
ユーザは、防食スリーブ１を被包管５に被覆する直前に、図５に示す通り、把持部表示４１を掴んで持ち上げることで、被包管５の表面に対する防食スリーブ１の位置合わせをおおよそ完了させることができる。
【００５４】
底部表示４２は、ユーザが把持部表示４１を掴んで持ち上げた際に、被包管５の下方から当該底部表示４２を目視しながら、被包管５の表面に対する防食スリーブ１の位置合わせのために利用できるものである。
【００５５】
把持部表示４１及び底部表示４２は、ユーザが把持又は視認できる構成であればよく、例えば連続印刷された直線や破線、あるいはシールの貼り付け表示など、その表示態様を一切限定するものではない。さらに、ユーザが把持し易いように、予め折り目を施しておいてもよい。
【００５６】
図６（ａ）は、防食スリーブ１を折り曲げた状態を示す断面説明図である。
図６（ｂ）は、防食スリーブ１の被覆作業を終えた状態を示す断面説明図である。
【００５７】
第１実施形態と同様に第２実施形態においても、防食スリーブ１を被包管５に被覆する際に、ユーザは先ず、図６（ａ）に示す通り、被包管５の明示テープ６を目印として、防食スリーブ１に形成された報知表示２を当該明示テープ６に重ねて一致させる。
【００５８】
そして、図６（ｂ）に示す通り、防食スリーブ１を折り曲げつつ、防食スリーブ１に形成された管径表示３を、被包管５に貼り付けられた報知表示２の上に、更に重ねて貼り付けて、被包管５への防食スリーブ１の被覆作業を終える。
【００５９】
ここで、本実施形態においては、報知表示２を明示テープ６の上に重ねて貼り付けた後に、図６（ａ）に示すように、把持部表示４１を折込み目印として防食スリーブ１を折り曲げつつ、図６（ｂ）に示すように、明示テープ６の上に貼り付けられた報知表示２の上に、更に管径表示３を重ねて貼り付けることができる。
【００６０】
以上から、第２実施形態によれば、第１実施形態にて得られる効果に加えて、把持部表示４１や底部表示４２を防食スリーブ１の表面に形成したことにより、被包管５の表面に対する防食スリーブ１の位置合わせを簡易的に行うことができる。
【００６１】
また、防食スリーブ１を被包管５へ被覆する際に、防食スリーブ１の折り込まれる位置を正確に把握できるため、迅速な折込み作業、つまり迅速な被覆作業を行うことができる。
【００６２】
なお、図４〜図６に示す実施形態は、把持部表示４１及び底部表示４２を共に有する構成を記載しているものの、底部表示４２の形成を省略し、把持部表示４１のみを利用して、被包管５の表面に対する防食スリーブ１の位置合わせを行ってもよい。この場合、底部表示４２の形成を省略することによる防食スリーブ１の製造上のコストの抑制が可能となる。
【００６３】
＜第３実施形態＞
図７は、防食スリーブ６０の断面説明図である。
【００６４】
以後、第３実施形態に係る構成のうち、第１実施形態及び第２実施形態と同一又は同等の構成要素については同一の符号を付し、図面を用いた説明が重複する場合にはその図面及び説明を省略する。
【００６５】
図７に示す通り、防食スリーブ６０は、第１シート６１及び第２シート６２の組み合わせにより形成される。第１シート６１及び第２シート６２は、共にポリエチレンなど水分を透過しない材料を素材とし、共にほぼ同一の形状のものである。
【００６６】
また、防食スリーブ６０には、第１シート６１及び第２シート６２の一端側同士を接続して第１接続部７１が形成され、他端側同士を接続して第２接続部７２が形成されている。第１接続部７１及び第２接続部７２は、製造の都合上、折り目として形成される。
【００６７】
図８は、防食スリーブ６０及び被包管５の断面説明図である。
【００６８】
第３実施形態における防食スリーブ６０は、図８に示す通り、第１シート６１及び第２シート６２の間を拡げて円筒状に拡げた場合であっても、折り目の形状がおおよそ記憶された第１接続部７１及び第２接続部７２により、各々の折り目が残された状態が維持される。
【００６９】
このため、防食スリーブ６０を被包管５へ被覆する際に、被包管５を防食スリーブ６０の内側に挿入した状態においては、折り目の形状の影響により、図８に示すように、第１接続部７１が最上部とし、第２接続部７２を最下部として、当該第２接続部７２の上方に被包管５が位置することとなる。
【００７０】
しかしながら、被包管５の表面に対する防食スリーブ６０の位置が図８に示す状態になっている場合には、被包管５の表面に対する防食スリーブ６０の位置は、正しい位置関係となっていないため、このままでは、防食スリーブ６０に形成された報知表示２を明示テープ６に重ねて貼り付けることができない。
【００７１】
図９は、防食スリーブ６０を掴み上げた状態を示す断面説明図である。
【００７２】
このため、図９に示す通り、第２実施形態と同じく、把持部表示４１を掴んで持ち上げることで、被包管５の表面に対する防食スリーブ６０の位置合わせを行うことができる。
【００７３】
なお、把持部表示４１により被包管５の表面に対する防食スリーブ６０の位置合わせを行った後は、第２実施形態にて先述した被覆作業（図６（ａ）及び図６（ｂ）参照）により、迅速な被覆作業を行うことができることから、本実施形態において詳細な説明は省略する。
【００７４】
また、第１〜第３実施形態においては、いずれの実施形態においても、被包管５の表面に明示テープ６を貼り付けた状態を前提として述べたものの、明示テープ６を用いなくても、先述した通り、本実施形態においても、防食スリーブ６０の被包管５への巻き付けは可能である。
【００７５】
この場合、具体的には、防食スリーブ１を被包管５に巻き付けて被覆する際に、先ず、被包管５の外周面の所望の位置である所定位置に報知表示２を合わせて貼り付ける。そうすることで、ユーザは、防食スリーブ１を折り曲げつつ、既に貼り付けられた報知表示２の上に、正確に管径表示３を重ねて貼り付けることができる。
【００７６】
＜第４実施形態＞
図１０は、防食スリーブ１及び被包管５の断面説明図である。
【００７７】
以後、第４実施形態に係る構成のうち、第１実施形態乃至第３実施形態と同一又は同等の構成要素については同一の符号を付し、図面を用いた説明が重複する場合にはその図面及び説明を省略する。
【００７８】
図１０は、円筒状の防食スリーブ１に被包管５が内包された状態を示す。
【００７９】
図１０に示す防食スリーブ１の表面上において、防食スリーブ１の最下部の表面に沿った報知表示２と管径表示３１との間の長さ（図中Ｓ）は、被包管５の外周の全周の長さ（図中Ｍ）よりも短い長さになっている。より具体的には、報知表示２の中心位置と管径表示３１の中心位置との間の長さＳが、被包管５の外周の長さＭよりも短い長さになっている。
【００８０】
言い換えると、防食スリーブ１の表面上において、管径表示３１の中心位置は、報知表示２の中心位置から、被包管５の外周の全周の長さとほぼ同じ長さ分離れた位置の近傍に位置している。
【００８１】
図１１（ａ）は、防食スリーブ１を折り曲げた状態を示す断面説明図である。
図１１（ｂ）は、防食スリーブ１の被覆作業を終えた状態を示す断面説明図である。
【００８２】
防食スリーブ１を被包管５に巻き付けて被覆する際に、ユーザは先ず、図１１（ａ）に示す通り、被包管５の明示テープ６を目印として、防食スリーブ１に形成された報知表示２を当該明示テープ６に重ねて一致させる。
そして、図１１（ｂ）に示す通り、防食スリーブ１を折り曲げつつ、被包管５に巻き付け、被包管５への防食スリーブ１の被覆作業を終える。
【００８３】
本実施形態によれば、防食スリーブ１の表面上において、報知表示２と管径表示３１との間の長さが、被包管５の外周の長さよりも短い長さになっているため、図１１（ａ）及び（ｂ）の作業により、報知表示２の近傍の位置であって、図面向かって左側に管径表示３１が位置合わせされる。
【００８４】
特に、本実施形態における図１０及び図１１に示す通り、明示テープ６の貼り付け位置が管頂であるため、図１１（ａ）及び（ｂ）に示す被覆作業により、最終的に管径表示３１が配置される位置は、管頂の近傍（周辺部）となる。
【００８５】
ここで、報知表示２の近傍の位置の一例として、図１０及び図１１に示す通り、被包管５の管頂の近傍であって管頂の周辺部などが挙げられる。この場合、被包管５の管頂の近傍（周辺部）であって、多少なりとも側視可能な位置に管径表示３１を配置させることで、埋設された被包管５から多少離れた場所にいるユーザであっても、その離れた場所から管径表示３１の視認が可能になるとの効果を奏する。
【００８６】
そして、図１０及び図１１に示す実施形態においては、報知表示２と管径表示３１との間の長さが、被包管５の外周の長さよりも短い長さになっているため、管径表示３１が報知表示２に対して、図面向かって左側に位置合わせされたことになるものの、管径表示３１の位置合わせされる位置を図面向かって右側とするようにしてもよい。
【００８７】
この場合、図示は省略するものの、防食スリーブ１の表面上における管径表示３１の中心位置について、報知表示２の中心位置から、被包管５の外周の全周の長さとほぼ同じ長さ分離れた位置の近傍の位置であって、報知表示２と管径表示３１との間の長さを被包管５の外周の長さよりも長くすることで可能となる。
【００８８】
なお、本実施形態によれば、被包管５の表面上の所定位置に明示テープ６を貼り付けなくても、被包管５の表面上の所定位置に報知表示２を位置合わせしておきさえすれば、報知表示２と管径表示３１との間の長さと、被包管５の外周の長さとの関係を考慮することで、煩雑な作業を行うこと無く、報知表示２が位置合わせされた所定位置の近傍に、管径表示３１を配置させることができる。
【００８９】
そして、先述の各実施形態と同じく本実施形態においても、被包管５における所定位置について、管頂である最上部に限らず、被包管５の真横の位置、真下の位置、管頂から数センチずらした位置、管頂から下方のいずれの位置（例えば被包管５の直上から４５度下方へ傾いた位置や、被包管５の直上から７５度下方へ傾いた位置など）を所定位置として利用することができる。
【００９０】
また、被包管５における所定位置の認定について、被包管５に予め形成されているマーキングやユーザが視認可能な傷を所定位置として利用してもよいことはもちろん、被包管５にマーキングや目印となる傷等が一切無い場合であっても、ユーザが自らの感覚で、先述した被包管５の管頂の位置、真横の位置、真下の位置など、被包管５の表面上の所定位置として認定して決めることも可能である。
【００９１】
図１２は、防食スリーブ１を折り曲げた状態を示す断面説明図である。
【００９２】
図１２は、図１０及び図１１に示す実施形態の変形例であり、防食スリーブ１の表面上において、管径表示３１を２か所（２ライン）設けた場合の断面構成を示す。
図１２に示す通り、当該変形例によれば、被包管５への防食スリーブ１の被覆作業を終えた際に、報知表示２を境に当該報知表示２を挟むように、被包管５の管頂の近傍（周辺部）に複数の管径表示３１を配置させることができる。
【００９３】
このため、多少なりとも側視可能な位置に管径表示３１を配置させることで、埋設された被包管５から多少離れた場所にいるユーザが、図面向かって左側に位置しているか、あるいは右側に位置しているかを問わず、いずれの位置からでも、管径表示３１を離れた場所から視認することができ、被包管５への防食スリーブ１の被覆の方向性の制限を無くすことができる。
【００９４】
＜第５実施形態＞
図１３（ａ）は、防食スリーブ１を折り曲げた状態を示す断面説明図である。
図１３（ｂ）は、防食スリーブ１の被覆作業を終えた状態を示す断面説明図である。
【００９５】
以後、第５実施形態に係る構成のうち、第１実施形態乃至第４実施形態と同一又は同等の構成要素については同一の符号を付し、図面を用いた説明が重複する場合にはその図面及び説明を省略する。
【００９６】
図１３（ａ）及び（ｂ）は、円筒状の防食スリーブ１に被包管５が内包された状態を示す。図１３に示す防食スリーブ１の表面上において、管径表示３２は、報知表示２１の近傍の位置に形成されている。
【００９７】
防食スリーブ１を被包管５に巻き付けて被覆する際に、ユーザは先ず、図１３（ａ）に示す通り、被包管５の明示テープ６を目印として、防食スリーブ１の所定部分を当該明示テープ６に重ねる。
そして、図１３（ｂ）に示す通り、防食スリーブ１を折り曲げつつ、被包管５の明示テープ６を目印として、防食スリーブ１に形成された報知表示２１を当該明示テープ６に重ねて被包管５に巻き付け、被包管５への防食スリーブ１の被覆作業を終える。
【００９８】
本実施形態によれば、防食スリーブ１の表面上において、管径表示３２は、報知表示２１の近傍の位置に形成されているため、図１３（ａ）及び（ｂ）の被覆作業により、最終的に、報知表示２１の近傍の位置に管径表示３２が位置合わせされる。
【００９９】
特に、本実施形態における図１３に示す通り、明示テープ６の貼り付け位置が管頂であるため、最終的に管径表示３２が配置される位置は、管頂の近傍の位置となる。
【０１００】
このため、本実施形態は第４実施形態と同様に、被包管５の管頂の近傍（周辺部）であって、多少なりとも側視可能な位置に管径表示３２を配置させることで、埋設された被包管５から多少離れた場所にいるユーザであっても、その離れた場所から管径表示３２の視認が可能になるとの効果を奏する。
【０１０１】
なお、本実施形態によれば、先述の各実施形態と同様に、被包管５の表面上の所定位置に明示テープ６を貼り付けなくても、被包管５の表面上の所定位置に報知表示２１を位置合わせすることで、煩雑な作業を行うこと無く、当該所定位置の近傍の位置に管径表示３２を配置させることができる。
【０１０２】
そして、明示テープ６の貼り付けの有無を問わず、最終的に管径表示３２の配置される位置について、被包管５の所定位置、例えば管頂に限らず、側部など、管頂から下方のいずれの任意の位置（例えば被包管５の直上から４５度下方へ傾いた位置や、被包管５の直上から９０度下方へ傾いた位置など）に合わせることも可能である。
【０１０３】
図１４は、防食スリーブ１を折り曲げた状態を示す断面説明図である。
【０１０４】
図１４は、図１３（ａ）及び（ｂ）に示す実施形態の変形例であり、防食スリーブ１の表面上において、管径表示３２を２か所（２ライン）設けた場合の断面構成を示す。
図１４に示す通り、当該変形例によれば、被包管５への防食スリーブ１の被覆作業を終えた際に、報知表示２１を境に当該報知表示２１を挟むように、被包管５の管頂の近傍の位置に複数の管径表示３２を配置することができる。
【０１０５】
このため、多少なりとも側視可能な位置に管径表示３２を配置させることで、埋設された被包管５から多少離れた場所にいるユーザが、図面向かって左側に位置しているか、あるいは右側に位置しているかを問わず、いずれの位置からでも、管径表示３２を離れた場所から視認することができ、被包管５への防食スリーブ１の被覆の方向性の制限を無くすことができる。
【０１０６】
＜第６実施形態＞
図１５は、防食スリーブ１及び被包管５の断面説明図である。
【０１０７】
以後、第６実施形態に係る構成のうち、第１実施形態乃至第５実施形態と同一又は同等の構成要素については同一の符号を付し、図面を用いた説明が重複する場合にはその図面及び説明を省略する。
【０１０８】
図１５は、円筒状の防食スリーブ１に被包管５が内包された状態を示す。図１５に示す通り、第６実施形態に係る防食スリーブ１の表面上には、被包管５に対して被覆作業を行う際に、防食スリーブ１が折り込まれる位置を示す折り込み表示５０が形成されている。
【０１０９】
防食スリーブ１の表面上において、防食スリーブ１の最下部の表面に沿った折り込み表示５０と管径表示３３との間の長さ（図中Ｌ）は、被包管５の外周の全周の長さ（図中Ｍ）とほぼ同じ長さになっている。より具体的には、折り込み表示５０の中心位置と管径表示３３の中心位置との間の長さＬが、被包管５の外周の全周の長さとほぼ同じ長さになっている。
【０１１０】
図１６（ａ）は、防食スリーブ１を折り曲げた状態を示す断面説明図である。
図１６（ｂ）は、防食スリーブ１の被覆作業を終えた状態を示す断面説明図である。
【０１１１】
防食スリーブ１を被包管５に巻き付けて被覆する際に、ユーザは先ず、図１６（ａ）に示す通り、防食スリーブ１の折り込み表示５０を折り込みの目印として折り曲げつつ、明示テープ６を目印として、当該折り込み表示５０を当該明示テープ６に重ねる。
そして、図１６（ｂ）に示す通り、防食スリーブ１を更に折り曲げながら、折り曲げられた折り込み表示５０を明示テープ６に位置合わせつつ被包管５に巻き付け、被包管５への防食スリーブ１の被覆作業を終える。
【０１１２】
本実施形態によれば、防食スリーブ１の表面上において、折り込み表示５０と管径表示３３との間の長さが、被包管５の外周とほぼ同じ長さになっているため、図１６（ａ）及び（ｂ）の被覆作業により、折り込み表示５０の位置に対して管径表示３３を重畳させることができる。
【０１１３】
つまり、本実施形態によれば、先述した他の実施形態における報知表示２（２１）の代わりに折り込み表示５０を利用することで、当該折り込み表示５０を被包管５の明示テープ６に位置合わせしさえすれば、防食スリーブ１の被覆作業が終了した際に、最終的に管径表示３３を当該明示テープ６に重ねて配置することができる。
【０１１４】
特に、図１５及び図１６に示す本実施形態においては、明示テープ６の貼り付け位置が管頂であるため、最終的に管径表示３３が配置される位置は管頂となる。
【０１１５】
なお、本実施形態によれば、先述の各実施形態と同様に、被包管５の表面上の所定位置に明示テープ６を貼り付けなくても、被包管５の表面上の所定位置に折り込み表示５０を位置合わせすることで、煩雑な作業を行うこと無く、当該所定位置に最終的に管径表示３３を配置させることができる。
【０１１６】
そして、明示テープ６の貼り付けの有無を問わず、最終的に管径表示３３の配置される位置について、被包管５の所定位置、例えば管頂に限らず、側部など、管頂から下方のいずれの任意の位置（例えば被包管５の直上から４５度下方へ傾いた位置や、被包管５の直上から９０度下方へ傾いた位置など）に合わせることも可能である。
【０１１７】
＜第７実施形態＞
図１７（ａ）は、防食スリーブ１を折り曲げた状態を示す断面説明図である。
図１７（ｂ）は、防食スリーブ１の被覆作業を終えた状態を示す断面説明図である。
【０１１８】
以後、第７実施形態に係る構成のうち、第１実施形態乃至第６実施形態と同一又は同等の構成要素については同一の符号を付し、図面を用いた説明が重複する場合にはその図面及び説明を省略する。
【０１１９】
防食スリーブ１を被包管５に巻き付けて被覆する際に、ユーザは先ず、図１７（ａ）に示す通り、被包管５の明示テープ６を目印として、防食スリーブ１に形成された管径表示３４を当該明示テープ６に重ねて一致させる。
そして、図１７（ｂ）に示す通り、防食スリーブ１を折り曲げつつ、被包管５に巻き付け、被包管５への防食スリーブ１の被覆作業を終える。
【０１２０】
ここで本実施形態における防食スリーブ１は、透明性を有しており、防食スリーブ１の被覆作業を終えた際に、防食スリーブ１の三重部の外側から、管径表示３４が視認可能となっている。
【０１２１】
そして、本実施形態における図１７（ａ）及び（ｂ）に示す通り、明示テープ６の貼り付け位置が管頂であるため、最終的に管径表示３４が配置される位置は管頂となる。
【０１２２】
なお、本実施形態においては、先述の各実施形態と同様に、被包管５の表面上の所定位置に明示テープ６を貼り付けなくても、被包管５の表面上の所定位置に管径表示３４を位置合わせしておきさえすれば、被覆作業を終えた際に、当該所定位置にある管径表示３４を三重部の外側から視認することができる。
【０１２３】
そして、本実施形態においても、最終的に管径表示３４の配置される位置について、被包管５の所定位置、例えば管の頂部に限らず、側部など、管頂から下方のいずれの任意の位置（例えば被包管５の直上から４５度下方へ傾いた位置や、被包管５の直上から９０度下方へ傾いた位置など）に合わせることも可能である。
【０１２４】
図１８は、防食スリーブ１を折り曲げた状態を示す断面説明図である。
【０１２５】
図１８は、図１７（ａ）及び（ｂ）に示す実施形態の変形例であり、防食スリーブ１の表面上において、管径表示３４を２か所（２ライン）設けた場合の断面構成を示す。
図１８に示す通り、当該変形例によれば、被包管５への防食スリーブ１の被覆作業を終えた際に、明示テープ６を境に当該明示テープ６を挟むように、被包管５の管頂から所定の距離分離れた位置に複数の管径表示３４を配置することができる。
【０１２６】
このため、多少なりとも側視可能な位置に管径表示３４を配置させることで、埋設された被包管５から多少離れた場所にいるユーザが、図面向かって左側に位置しているか、あるいは右側に位置しているかを問わず、いずれの位置からでも、管径表示３４を離れた場所から視認することができ、被包管５への防食スリーブ１の被覆の方向性の制限を無くすことができる。
【０１２７】
これまで先述した各実施形態について、さらに、被包管５への防食スリーブ１の被覆作業を効率良く行うため、防食スリーブ１に対して、管頂に形成される三重部の一端又は両端に相当する箇所に予め折り目を施しておいてもよい。
また、折り目を施す代わりに、例えば連続印刷された直線や破線、あるいはシールの貼り付け表示などを用いて表示してもよく、防食スリーブ１が折られる位置であることをユーザが認識でき、ユーザが容易に把持できるように構成するものであってもよい。
【０１２８】
また、防食スリーブ１に形成される報知表示について、防食スリーブ１に対して被包管５を内包させる際の挿入の方向をユーザに示すため、矢印や三角形など、方向を示唆する案内を伴った表示として形成させてもよい。
【０１２９】
さらに、先述してきた各実施形態においては、管径表示にて表示される文字の向きは制限されず、例えば、防食スリーブ１の被覆作業を終えた際のユーザの視認状況を考慮して、被包管５の一方の側面から視認する場合を考慮した文字の向きや、他方の側面からの視認を考慮した逆向きとしてもよく、それ以外の向きを以て表示されてもよいものである。
【０１３０】
＜実施形態の構成及び効果＞
本発明は、内部を流体が通過可能な被包管５の外側表面を包む防食スリーブ１であって、防食スリーブ１は水分を透過しない材料で形成され、防食スリーブ１には報知表示２（２１）が形成され、報知表示２（２１）は、被包管５の所定位置に報知表示２（２１）を合わせる位置を、防食スリーブ１を被包管に包み込む作業を行うユーザに報知するための表示であることを特徴とする。
【０１３１】
防食スリーブ１に報知表示２（２１）を形成しておくことで、被包管５の所望の位置に当該報知表示２（２１）を合わせて貼り付けることが容易になり、その結果、被包管５の外周面に対する防食スリーブ１の位置合わせを正確に行うことができる。
【０１３２】
また、防食スリーブ１には把持部表示４１が形成されており、把持部表示４１は、防食スリーブ１を被包管５に包み込む作業を行うユーザが、防食スリーブ１を被包管５に対して離す方向に引っ張る（その施工の内容によって、上方、横、斜め上、等様々なものがあり得る）際に、ユーザが把持する位置をユーザに報知するための表示である。
【０１３３】
防食スリーブ１に被包管５が内包された状態において、ユーザが把持部表示４１を上方に持ち上げることで、被包管５の表面に対する防食スリーブ１の位置合わせをおおよそ完了させることができる。
【０１３４】
防食スリーブ１には底部表示４２が形成されており、底部表示４２は、防食スリーブ１を被包管５に包み込む作業を行うユーザが、防食スリーブ１を被包管５に対して把持部表示４１を把持して上方に持ち上げた際に、被包管５の下部に位置する位置に形成されている。
【０１３５】
ユーザは、把持部表示４１を掴んで持ち上げた際に、被包管５の下方から底部表示４２を目視しつつ、被包管５の表面に対する防食スリーブ１の位置合わせをすることができる。
【０１３６】
防食スリーブ１には、被包管５の管径を表示する管径表示３（３１、３２、３３、３４）が形成されている。
【０１３７】
被包管５が地中等に埋設されている際に、土砂等を取り除くことで、ユーザは、管径表示３（３１、３２、３３、３４）により簡易的に被包管５の管径を把握することができる。
【０１３８】
防食スリーブ１において管径表示３は、報知表示２から、被包管５の外周の全周の長さとほぼ同じ距離分離れた位置に形成されている。
【０１３９】
このため、防食スリーブ１を被包管５へ巻き付けたときには、必ず報知表示２の上に管径表示３が重なることとなる。つまり、ユーザは、被包管５の所望の位置に報知表示２を貼り付けておくことで、結果的に、当該所望の位置に管径表示３の位置を合わせることができる。
【０１４０】
防食スリーブ１において管径表示３１は、報知表示２から、被包管５の外周の全周の長さとほぼ同じ距離分離れた位置の近傍に形成されている。
【０１４１】
このため、防食スリーブ１を被包管５へ巻き付けた際、報知表示２を位置合わせした所定位置が被包管５の管頂である場合には、管径表示３１は管頂の近傍（周辺部）に配置されることとなる。このため、多少なりとも側視可能な位置に管径表示３１を配置させることで、埋設された被包管５から多少離れた場所にいるユーザであっても、その離れた場所から管径表示３１の視認が可能になる。
【０１４２】
防食スリーブ１において管径表示３２は、報知表示２１の近傍の位置に形成されている。
【０１４３】
このため、防食スリーブ１を被包管５へ巻き付けた際、報知表示２１を位置合わせした所定位置が被包管５の管頂である場合には、管径表示３２は管頂の近傍（周辺部）に配置されることとなる。このため、多少なりとも側視可能な位置に管径表示３２を配置させることで、埋設された被包管５から多少離れた場所にいるユーザであっても、その離れた場所から管径表示３２の視認が可能になる。
【０１４４】
報知表示２（２１）は、当該報知表示２（２１）を被包管５の所定位置に合わせる旨をユーザに報知する表示である。
ここで、被包管５の所定位置とは、明示テープ６貼り付けられる場合にはその明示テープ６が貼り付けられる位置である。
そして、被包管５の所定位置とは、明示テープ６が貼り付けられない場合には、被包管５の例えば管の頂部位置である。ここで、被包管５の所定位置は、このように被包管５の頂部に限定されるものではなく、設計や施工の条件等によって側部やその他の位置であってもよい。
【０１４５】
防食スリーブ１に報知表示２（２１）を形成するとともに、被包管５に被包管側表示（明示テープ６）を形成しておくことで、ユーザは、被包管５の外周面に対する防食スリーブ１の位置合わせを正確に行うことができる。
【０１４６】
防食スリーブ６０は、同一の形状を有する第１シート６１と第２シート６２を有し、第１シート６１と第２シート６２は、第１シート６１の一端側と第２シート６２の一端側が接続され、第１シート６１の他端側と第２シート６２の他端側が接続されて、円筒形状を有し、第１シート６１の一端側と第２シート６２の一端側が接続される第１接続部７１には折り目が形成されており、第１シート６１の他端側と第２シート６２の他端側が接続される第２接続部７２には折り目が形成されている。
【０１４７】
防食スリーブ６０が第１シート６１及び第２シート６２からなる構成であり、部分的に折り目が形成された構成であっても、報知表示２等を形成しておくことで、被包管５の外周面に対する防食スリーブ６０の位置合わせを正確に行うことができる。
【０１４８】
本発明は、内部を流体が通過可能な被包管５の外側表面を包む防食スリーブ１であって、防食スリーブ１は、水分を透過しない材料で形成され、防食スリーブ１には、被包管５の管径を表示する管径表示３１が形成され、防食スリーブ１には、報知表示２が形成され、報知表示２は、被包管５の所定位置に報知表示２を合わせる位置を、防食スリーブ１を被包管５に包み込む作業を行うユーザに報知するための表示であり、防食スリーブ１において管径表示３１は、報知表示２から、被包管５の外周の全周の長さと同じ距離分離れた位置の近傍に形成されていることを特徴とする。
【０１４９】
このため、防食スリーブ１を被包管５へ巻き付けた際、報知表示２を位置合わせした所定位置が被包管５の管頂である場合には、管径表示３１は管頂の近傍（周辺部）に配置されることとなる。このため、多少なりとも側視可能な位置に管径表示３１を配置させることで、埋設された被包管５から多少離れた場所にいるユーザであっても、その離れた場所から管径表示３１の視認が可能になる。
【０１５０】
本発明は、内部を流体が通過可能な被包管５の外側表面を包む防食スリーブ１であって、防食スリーブ１は、水分を透過しない材料で形成され、防食スリーブ１には、被包管５の管径を表示する管径表示３２が形成され、防食スリーブ１には、報知表示２１が形成され、報知表示２１は、被包管５の所定位置に報知表示２１を合わせる位置を、防食スリーブ１を被包管５に包み込む作業を行うユーザに報知するための表示であり、防食スリーブ１において管径表示３２は、報知表示２１の近傍の位置に形成されていることを特徴とする。
【０１５１】
このため、防食スリーブ１を被包管５へ巻き付けた際、報知表示２１を位置合わせした所定位置が被包管５の管頂である場合には、管径表示３２は管頂の近傍（周辺部）に配置されることとなる。このため、多少なりとも側視可能な位置に管径表示３２を配置させることで、埋設された被包管５から多少離れた場所にいるユーザであっても、その離れた場所から管径表示３２の視認が可能になる。
【符号の説明】
【０１５２】
１，６０    防食スリーブ
２，２１    報知表示
３，３１，３２，３３，３４          管径表示
５          被包管
６          明示テープ
４１        把持部表示
４２        底部表示
６１        第１シート
６２        第２シート
７１        第１接続部
７２        第２接続部
【図１】
2015087011.tif 000003
【図２】
2015087011.tif 000004
【図３】
2015087011.tif 000005
【図４】
2015087011.tif 000006
【図５】
2015087011.tif 000007
【図６】
2015087011.tif 000008
【図７】
2015087011.tif 000009
【図８】
2015087011.tif 000010
【図９】
2015087011.tif 000011
【図１０】
2015087011.tif 000012
【図１１】
2015087011.tif 000013
【図１２】
2015087011.tif 000014
【図１３】
2015087011.tif 000015
【図１４】
2015087011.tif 000016
【図１５】
2015087011.tif 000017
【図１６】
2015087011.tif 000018
【図１７】
2015087011.tif 000019
【図１８】
2015087011.tif 000020